(57)【要約】【課題】リモコンの設置位置によらずにトイレ機器本体からリモコンを良好に照明することが可能なトイレ機器を提供する。【解決手段】人体が洋風便器１０に近づくと、便座ボックス１２の受光素子（人体検知センサ）６０が人体を検知し、ＬＥＤ２１が発光する。ここで、リモコン３０の蓋体３１を開けると、照射方向調節スイッチ３２ａ〜３２ｄが操作可能な状態となる。これら照射方向調節スイッチ３２ａ〜３２ｄを操作し、ＬＥＤ２１がリモコン３０を照射するようにＬＥＤ２１の照射方向を調節して、初期設定を終了する。このようにＬＥＤ２１の照射方向を調節することにより、リモコン３０を良好に照明することが可能となる。【選択図】図４
2011153463.tif 000002
【特許請求の範囲】
【請求項１】
便器に設けられたトイレ機器本体と、該トイレ機器本体を操作するリモコンとを有したトイレ機器であって、
該トイレ機器本体が該リモコンを照明するための光照射手段を備えているトイレ機器において、
該光照射手段は、照射方向を変更可能とされていることを特徴とするトイレ機器。
【請求項２】
請求項１において、該光照射手段は手動にて照射方向を変更可能とされていることを特徴とするトイレ機器。
【請求項３】
請求項１又は２において、該光照射手段の照射方向を変更させる照射方向調節手段を有することを特徴とするトイレ機器。
【請求項４】
請求項３において、該照射方向調節手段は、該リモコン及び／又は該トイレ機器本体の操作部を操作することにより操縦可能とされていることを特徴とするトイレ機器。
【請求項５】
請求項３又は４において、該リモコンは、位置情報信号を発信する手段を有しており、
該トイレ機器本体は、該位置情報信号を受信して該リモコンの位置を検出するリモコン位置検出手段を有しており、
該照射方向調節手段は、該位置情報信号に基づいて、該光照射手段の照射位置が該リモコンの検出位置と一致するように該照射方向を調節する自動調節機能を有することを特徴とするトイレ機器。
【請求項６】
請求項５において、該トイレ機器本体は、該トイレ機器本体に近づいてきた人体を検知する人体検知手段と、人体検知信号をリモコンに送信する人体検知信号送信手段とを有しており、
該リモコンは、人体検知信号受信手段を有しており、
該位置情報信号発信手段は、該人体検知信号受信手段が人体検知信号を受信したときに該位置情報信号を発信可能とされていることを特徴とするトイレ機器。
【請求項７】
請求項１ないし６のいずれか１項において、該リモコンは、光を検知する光検知手段と、この光検知手段が光を検知したときに該リモコンを待機状態から通信可能状態に切り替え可能な制御手段とを有することを特徴とするトイレ機器。
【請求項８】
請求項７において、該光照射手段は特定の変調光を照射することが可能とされており、
該制御手段は、該光検知手段が該特定の変調光を検知したときに該リモコンを待機状態から通信可能状態に切り替えることが可能とされていることを特徴とするトイレ機器。
【請求項９】
請求項７又は８において、該リモコンは太陽電池を有しており、該太陽電池が該光検知手段を兼ねていることを特徴とするトイレ機器。
【発明の詳細な説明】
【技術分野】
【０００１】
本発明は、便器に設けられたトイレ機器本体と、該トイレ機器本体を操作するリモコンとを有したトイレ機器に係り、特に、トイレ機器本体がリモコンを照明するための光照射手段を備えているトイレ機器に関する。
【背景技術】
【０００２】
便器の後部上面に設置したトイレ機器本体を、トイレ室内の壁面に設置したリモコンの操作によって作動可能としたトイレ機器は広く使用されている。
【０００３】
かかるトイレ機器のリモコンを操作する場合、操作者の手、頭、トイレ室内の棚、扉等が室内照明を遮り、リモコンがこれらの影のために見難くなることがある。また、夜に目が覚めないように、トイレ室の主照明を点灯せずにトイレを利用したい場合もある。
【０００４】
特開平９−１１１８４２号公報には、リモコンの各スイッチのスイッチ片を透明とし、スイッチ片の裏側に設置したＬＥＤを発光させることにより、スイッチの視認性を高めることが記載されている。
【０００５】
また、特開２００８−１７５０６０号公報の第００４５段落には、トイレ機器本体に設置されたリモコン照明によってリモコンを照明することが記載されている。
【先行技術文献】
【特許文献】
【０００６】
【特許文献１】特開平９−１１１８４２号公報
【特許文献２】特開２００８−１７５０６０号公報
【発明の概要】
【発明が解決しようとする課題】
【０００７】
特許文献１のようにリモコンの各スイッチの裏側に設けられたＬＥＤを発光させる場合、リモコンの消費電力が大きくなり、リモコンの電池寿命が短くなるという問題がある。
【０００８】
また、特許文献２のようにトイレ機器本体に設置されたリモコン照明によってリモコンを照明する場合、このリモコン照明の照射方向の延長線上にリモコンを設置する必要があるため、リモコンの設置位置に制限を受ける。また、トイレ室によっては、この延長線上から外れた箇所にリモコンを設置せざるを得ない場合があり、この場合にはリモコンを十分に照明することができない。
【０００９】
本発明は、上記課題を解決し、リモコンの設置位置によらずにトイレ機器本体からリモコンを良好に照明することが可能なトイレ機器を提供することを目的とする。
【課題を解決するための手段】
【００１０】
本発明（請求項１）のトイレ機器は、便器に設けられたトイレ機器本体と、該トイレ機器本体を操作するリモコンとを有したトイレ機器であって、該トイレ機器本体が該リモコンを照明するための光照射手段を備えているトイレ機器において、該光照射手段は、照射方向を変更可能とされていることを特徴とするものである。
【００１１】
請求項２のトイレ機器は、請求項１において、該光照射手段は手動にて照射方向を変更可能とされていることを特徴とするものである。
【００１２】
請求項３のトイレ機器は、請求項１又は２において、該光照射手段の照射方向を変更させる照射方向調節手段を有することを特徴とするものである。
【００１３】
請求項４のトイレ機器は、請求項３において、該照射方向調節手段は、該リモコン及び／又は該トイレ機器本体の操作部を操作することにより操縦可能とされていることを特徴とするものである。
【００１４】
請求項５のトイレ機器は、請求項３又は４において、該リモコンは、位置情報信号を発信する手段を有しており、該トイレ機器本体は、該位置情報信号を受信して該リモコンの位置を検出するリモコン位置検出手段を有しており、該照射方向調節手段は、該位置情報信号に基づいて、該光照射手段の照射位置が該リモコンの検出位置と一致するように該照射方向を調節する自動調節機能を有することを特徴とするものである。
【００１５】
請求項６のトイレ機器は、請求項５において、該トイレ機器本体は、該トイレ機器本体に近づいてきた人体を検知する人体検知手段と、人体検知信号をリモコンに送信する人体検知信号送信手段とを有しており、該リモコンは、人体検知信号受信手段を有しており、該位置情報信号発信手段は、該人体検知信号受信手段が人体検知信号を受信したときに該位置情報信号を発信可能とされていることを特徴とするものである。
【００１６】
請求項７のトイレ機器は、請求項１ないし６のいずれか１項において、該リモコンは、光を検知する光検知手段と、この光検知手段が光を検知したときに該リモコンを待機状態から通信可能状態に切り替え可能な制御手段とを有することを特徴とするものである。
【００１７】
請求項８のトイレ機器は、請求項７において、該光照射手段は特定の変調光を照射することが可能とされており、該制御手段は、該光検知手段が該特定の変調光を検知したときに該リモコンを待機状態から通信可能状態に切り替えることが可能とされていることを特徴とするものである。
【００１８】
請求項９のトイレ機器は、請求項７又は８において、該リモコンは太陽電池を有しており、該太陽電池が該光検知手段を兼ねていることを特徴とするものである。
【発明の効果】
【００１９】
本発明（請求項１）のトイレ機器は、トイレ機器本体に設置された光照射手段が照射方向を変更可能とされている。このため、リモコンをトイレ室壁面の任意の箇所に設置しても、この光照射手段の照射方向を変更してリモコンを確実かつ効率的に照射することができ、省電力化が図られる。
【００２０】
この光照射手段は手動にて照射方向を変更可能とされていてもよい（請求項２）。また、この光照射手段は電動モータ等の照射方向調節手段によって照射方向を変更可能とされていてもよく（請求項３）、この場合、照射方向調節手段はリモコン及び／又はトイレ機器本体の操作部を操作することにより操縦可能とされているのが好ましい（請求項４）。
【００２１】
請求項５のトイレ機器にあっては、照射方向調節手段が、リモコンからの位置情報信号に基づいて、光照射手段の照射位置がリモコンの検出位置と一致するように照射位置を調節する自動調節機能を有する。これにより、初期設定時等において自動調節機能を作動させることにより、照明位置が自動的に調節されるため、使用者が照射位置を調節する手間が省略される。
【００２２】
請求項６のトイレ機器にあっては、人体を検知すると、照射方向調節手段が光照射手段の照射位置を自動調節する。これにより、初期設定時等に使用者が自動調節機能を操作する手間も省略される。
【００２３】
請求項７のトイレ機器にあっては、リモコンが、光を検知する光検知手段と、この光検知手段が光を検知したときに該リモコンを待機状態から通信可能状態に切り替え可能な制御手段とを有する。これにより、トイレ機器本体の光照射手段がリモコンを照射したときに、リモコンを使用することができる。また、該光照射手段がリモコンを照射しないときにはリモコンが待機状態となり、省電力化が図られる。
【００２４】
請求項８のトイレ機器にあっては、光照射手段は特定の変調光（パルス変調光等のデジタル変調光、振幅変調光等のアナログ変調光など）を照射することが可能とされており、制御手段は、該光検知手段が該特定の変調光を検知したときにリモコンを待機状態から通信可能状態に切り替えることが可能とされている。これにより、トイレ室の窓からの自然光やトイレ室内の照明がリモコンに照射される環境においても、リモコンを待機状態のまま維持させることが可能となり、省電力化が図られる。また、トイレ機器の光照射手段からリモコンに向けて特定の変調光が照射されるとリモコンが通信可能状態になるため、リモコンを確実に使用することができる。
【００２５】
請求項９のように、リモコンは太陽電池を有しており、該太陽電池が光検知手段を兼ねている場合、部品点数を減らすことが可能である。
【図面の簡単な説明】
【００２６】
【図１】実施の形態に係るトイレ機器を有する洋風便器が設置されたトイレルーム内の斜視図である。
【図２】図１の洋風便器を反対側から見た斜視図である。
【図３】図１の洋風便器の平面図である。
【図４】図１のトイレ機器のブロック図である。
【図５】別の実施の形態に係るトイレ機器のトイレ機器本体を有する洋風便器の斜視図である。
【図６】図５のトイレ機器のブロック図である。
【図７】異なるトイレ機器のブロック図である。
【図８】接触式のリモコンの一例を示す断面図である。
【図９】非接触式のリモコンの一例を示すブロック図である。
【図１０】別の実施の形態に係るトイレ機器を有する洋風便器が設置されたトイレルーム内の斜視図である。
【図１１】（ａ）は図１０の便座ボックスの平面図、（ｂ）は図１０の便座ボックスの縦断面図である。
【発明を実施するための形態】
【００２７】
以下、図面を参照して実施の形態について説明する。
【００２８】
＜第１の実施の形態＞  
第１図は実施の形態に係るトイレ機器を有する洋風便器が設置されたトイレルーム内の斜視図、第２図はこの洋風便器を反対側から見た斜視図、第３図はこの洋風便器の平面図、第４図はこのトイレ機器のブロック図である。
【００２９】
第１図の通り、洋風便器１０の後部上面にトイレ機器本体としての便座ボックス１２が設置され、この便座ボックス１２に便座１４及び便蓋１６が起倒自在に枢支されている。この便座ボックス１２の右側面（便器着座者にとっての右側面。以下、同様。）には手動式フラッシュハンドル１８が設けられている。また、この便座ボックス１２の左側の上角縁には、赤外線透過材料よりなるセンサ配置部１２ａと、可視光透過材料よりなる光照射部２０とが設けられている。
【００３０】
便座ボックス１２内の電気回路は、図示しないコード、プラグを介して商用電源（ＡＣ１００Ｖ）から給電される。
【００３１】
この洋風便器１０は、図示しないホース及び止水栓を介して水道水が供給可能とされている。
【００３２】
トイレルームの左側の壁面にはリモコン取付ブラケット（図示略）が取り付けられ、このリモコン取付ブラケットに対しリモコン３０が着脱自在に掛止されている。
【００３３】
この実施の形態では、リモコン３０は方形の薄箱形状のものである。リモコン３０の前面下半部には蓋体３１が設けられており、この蓋体３１の側面の下部がヒンジを介してリモコンの側面下部に回動自在に装着されている。この蓋体３１には臀部を洗浄するためのシャワースイッチ３０ａ及びビデスイッチ３０ｂ、温風を吹き出すための乾燥スイッチ３０ｃ、洗浄強さを調節する洗浄強さ調節ダイヤル３０ｄ、洗浄及び乾燥を停止させるストップスイッチ３０ｓが設けられている。また、リモコン３０の蓋体３１のスイッチ３０ｃよりも上方には、光を検知する光検知手段３７が設けられている。この蓋体３１で覆われたリモコン３０の本体の前面下半部には、後述するＬＥＤ２１の照射方向調節手段２２を操作するための照射方向調節スイッチ３２ａ〜３２ｄが設けられている。リモコン３０の前面上半部には、太陽電池３０ｇが設けられている。この太陽電池３０ｇで発電された電力は、リモコン３０内部に設けられた図示しないキャパシタによって蓄電可能となっている。リモコン３０の上面には、洋風便器１０に大量（例えば約６Ｌ）の洗浄水を供給する大用フラッシュスイッチ３０ｅ、同じく少量（例えば５Ｌ）の洗浄水を供給する男子小用フラッシュスイッチ３０ｆが設けられている。
【００３４】
リモコン３０の前面上部には、便座ボックス１２内の後述する受光素子６０に向けて信号を発信する発信素子３６が設けられている。
【００３５】
便座ボックス１２の前記センサ配置部１２ａの内部には、このリモコン３０の発信素子３６からの赤外線信号光を受光する受光素子６０（第４図）が設けられ、この受光素子６０から得られる受信信号が制御回路５４（第４図）に入力される。この受光素子６０は、洋風便器１０に近づいてきた人体から発せられる赤外線を受光して人体を検知する人体検知センサとしても機能する。
【００３６】
また、便座ボックス１２の前記光照射部２０の内部には、リモコン３０を照明する光照射手段としてのＬＥＤ２１と、このＬＥＤ２１の照射方向を上下方向に回動させる第１のモータ及び左右方向に回動させる第２のモータよりなる照射方向調節手段２２とが設けられている（第４図）。リモコン３０の上記照射方向調節スイッチ３２ａ、３２ｂを操作すると、第１のモータが作動し、ＬＥＤ２１の照射方向が上方及び下方（第３図のα方向）に移動する。照射方向調節スイッチ３２ｃ、３２ｄを操作すると、第２のモータが作動し、ＬＥＤ２１の照射方向が左方及び右方（第３図のθ方向）に移動する。このＬＥＤ２１の出射光は、レンズ等によって指向性を有するものとされている。
【００３７】
第４図の通り、便座ボックス１２内には、この制御回路５４によって動作が制御される各機器が設置されている。各機器は、リモコン３０の各スイッチ３０ａ〜３０ｆ、３０ｓによって次のように作動するように構成されている。
【００３８】
シャワースイッチ３０ａを押すと、弁５０が開弁し、便座ボックス１２に設けられたシャワーノズル３８Ａが前進し、その先端から温水が噴出され、使用者臀部のシャワー洗浄（肛門洗浄）が行われる。ビデスイッチ３０ｂを押すと、弁５２が開弁し、同様に便座ボックス１２の本体部に設けられているビデノズル３８Ｂが作動され、その先端から温水が噴出されて人体臀部の温水洗浄（ビデ洗浄）が行われる。この洗浄に際しては、前記ホース及び止水栓に連なる便座ボックス内の配管４０からの水が、温水タンク４２内においてヒータ４４により加熱された後、配管４６又は４８を介してシャワーノズル３８Ａ又はビデノズル３８Ｂへ送られる。なお、洗浄強さ調節ダイヤル３０ｄを回すことにより、弁５０，５２の開度が制御され、洗浄強さ（温水噴出量）が調節される。
【００３９】
乾燥スイッチ３０ｃを押すと、便座ボックス１２内のブロワ５６及びエアヒータ５８よりなる温風ファンが作動され、人体臀部に温風が吹き付けられて乾燥が行われる。
【００４０】
ストップスイッチ３０ｓを押すと、これらシャワーノズル、ビデノズルまたは温風ファンの作動が停止される。フラッシュスイッチ３０ｅ（大用）又は３０ｆ（小用）を操作することにより、弁７４又は弁７４，７６が開弁し、洋風便器１０の便鉢内に水が供給され、汚物が排出される。これらの弁７４，７６は、前記ホース及び止水栓から水の供給を受ける配管７０，７２に設けられている。配管７０は便器のリムに給水し、配管７２は便器のトラップ部（ゼット孔部）に給水する。
【００４１】
大用のフラッシュスイッチ３０ｅを押したときには、まず弁７４が所定時間開弁し、リム給水により鉢面が洗浄され、次いで弁７６が所定時間開弁し、トラップ部にサイホンを発生させて汚物を排出する。この場合、合計で６Ｌ程度の水が供給される。
【００４２】
小用のフラッシュスイッチ３０ｆを押したときには、弁７４のみが所要時間開弁し、２Ｌ程度の水で鉢面を洗浄すると共に、トラップ水を置換する。但し、フラッシュスイッチ３０ｅ、３０ｆを押したときの弁７４，７６の動作は上記の場合に限定されるものではないことは当然である。例えば、これらフラッシュスイッチ３０ｅ、３０ｆのいずれを押したときにも、まず弁７４が所定時間開弁し、次いで弁７６が所定時間開弁し、その後に再度弁７４が所定時間開弁するようにし、これら弁７４，７６の開弁時間（所定時間）をフラッシュスイッチ３０ｅとフラッシュスイッチ３０ｆとで異ならせるようにしてもよい。
【００４３】
［初期設定］
このように構成されたトイレ機器をトイレ室内に設置した後には、以下の初期設定を行う。
【００４４】
トイレ室内に人が居ないときには、リモコン３０は待機モードとなっている。この待機モードにあっては、スイッチ類３０ａ〜３０ｆ、３０ｓ、３２ａ〜３２ｄが操作不能であり、かつ発信素子３６が信号を発信不能な状態となっている。但し、この待機モードにおいて、光検知手段３７は光を検知可能であり、また、太陽電池３０ｇによって発電された電力をリモコン内部のキャパシタ（図示略）に蓄電可能である。
【００４５】
人体が洋風便器１０に近づくと、便座ボックス１２の受光素子（人体検知センサ）６０が人体を検知し、ＬＥＤ２１が発光する。ここで、リモコン３０の蓋体３１を開けると、上記待機モードにおいて、さらに照射方向調節スイッチ３２ａ〜３２ｄが操作可能な状態となる。これら照射方向調節スイッチ３２ａ〜３２ｄを操作し、ＬＥＤ２１がリモコン３０を照射するようにＬＥＤ２１の照射方向を調節する。これにより、リモコン３０がＬＥＤ２１によって良好に照明される。このようにして、初期設定を終了する。
【００４６】
［トイレ使用時］
このように初期設定されたトイレ機器を使用する際には、トイレ機器は次のように作動する。
【００４７】
受光素子（人体検知センサ）６０が人体を検知していない場合には、リモコン３０は待機モードになっている。上記の通り、この待機モードにあっては、光検知手段３７がＬＥＤ２１からの光を検知可能であるが、スイッチ類３０ａ〜３０ｆ、３０ｓ、３２ａ〜３２ｄが操作不能であり、かつ発信素子３６が信号を発信不能な状態となっている。これにより、リモコン３０の消費電力を抑えることが可能となる。
【００４８】
この待機モードにおいて使用者が洋風便器１０に近づくと、受光素子（人体検知センサ）６０が人体を検知し、ＬＥＤ２１が発光して、リモコン３０をスポット照明する。これにより、リモコン３０の光検知センサ３７が所定強度以上の光を検知することになり、リモコン３０がリモコン操作可能モードに切り替わる。このリモコン操作可能モードにあっては、待機モードにおいて、さらにスイッチ類３０ａ〜３０ｆ、３０ｓが操作可能となり、かつ発信素子３６が信号を発信可能となる。
【００４９】
このリモコン操作可能モードにおいて、使用者がリモコン３０の各スイッチ３０ａ〜３０ｆ、３０ｓを操作することにより、トイレ機器の各機器は上記のように作動する。
【００５０】
使用者がトイレ室から退室し、受光素子（人体検知センサ）６０が人体を非検知となると、ＬＥＤ２１が消灯される。これにより、リモコン３０の光検知センサ３７が所定強度以上の光を検知しなくなり、リモコン３０が待機モードに戻る。
【００５１】
本実施の形態によると、ＬＥＤ２１の照射方向を調節することにより、リモコン３０を良好に照明することが可能となる。また、リモコン３０がリモコン操作可能モードとなり、リモコンを確実に操作することができる。
【００５２】
また、ＬＥＤ２１がリモコン３０を照明しないときにはリモコン３０が待機モードとなるため、省電力化が図られる。
【００５３】
本実施の形態では、リモコン３０の光検知手段３７が所定強度以上となると、待機モードからリモコン操作可能モードとなる。そのため、この所定強度を、トイレ室の窓からの日光やトイレ室内照明からの光の強度よりも大きい値に設定することにより、これらの光によってリモコン操作可能モードになる誤動作が防止され、省電力化が図られる。なお、当然のことながら、この所定強度はＬＥＤ２１から照射される光の強度よりも小さい値とする。
【００５４】
本実施の形態では、ＬＥＤ２１の照射方向を２つのモータよりなる照射方向調節手段２２によって調節しているが、これに代えて又はこれと共に、ＬＥＤ２１の照射方向を手で直接に調節し得るようにしても良い。例えば、第１，２図において、可視光透過材料よりなる光照射部２０を便座ボックス１２に対して着脱可能ないし開閉可能とする。ＬＥＤ２１の照射方向を調節する際には、この光照射部２０を取り外し又は開き、ＬＥＤ２１を手で動かしてその照射方向を調節する。なお、照射方向調節手段２２を省略する場合には、リモコン３０の照射方向調節スイッチ３２ａ〜３２ｄも省略する。
【００５５】
本実施の形態では、リモコン３０の光検知手段３７が所定強度以上の光を検知したときに待機モードからリモコン操作可能モードに切り替えているが、これに限定されるものではなく、例えば、特定のパルス光を検知したときにリモコン操作可能モードに切り替えるようにしてもよい。この場合、ＬＥＤ２１として特定のパルス光を照射可能なものを使用する。また、リモコン３０の制御回路５４に、この特定のパルス光のパターンを予め記憶させておく。そして、ＬＥＤ２１からリモコン３０に向けて該特定のパルス光が照射されると、光検知手段３７が検知し、制御回路５４が予め記憶しているパターンと対比し、合致した場合にリモコン操作可能モードに切り替える。このようにすると、リモコン３０が太陽光やトイレ室内照明によってリモコン操作可能モードに切り替わってしまう誤動作が確実に防止され、省電力化が図られる。
【００５６】
本実施の形態では、リモコン３０に光検知手段３７を設けているが、太陽電池３０ｇが光検知手段を兼ねるようにしてもよい。
【００５７】
＜第２の実施の形態＞
本実施の形態は、ＬＥＤ２１の照射方向の調節を、第１の実施の形態よりも簡易にしたものである。
【００５８】
第５図は本実施の形態に係るトイレ機器を有する洋風便器の斜視図、第６図はこのトイレ機器のブロック図である。
【００５９】
本実施の形態では、リモコン３０の前面上部に、リモコンの位置情報信号発信手段３３が設けられている。この位置情報信号発信手段３３としては、ＩＣタグ等が用いられる。
また、リモコン３０の照射方向調節スイッチ３２ａ〜３２ｄの右側に、ＬＥＤ２１の照射方向を自動調節するための照射方向自動調節スイッチ３４が設けられている。
【００６０】
便座ボックス１２の左側面及び上面に、電波透過材料よりなるセンサ配置部１２ｂ、１２ｃが設けられている。なお、上記センサ配置部１２ａも電波透過材料よりなっている。これらセンサ配置部１２ａ〜１２ｃの内部には、それぞれ、リモコン３０の上記位置情報信号発信手段３３からの信号を受信するリモコン位置検出センサ６１ａ〜６１ｃが設けられ、これらリモコン位置検出センサ６１ａ〜６１ｃから得られる受信信号が制御回路５４に入力される。これらリモコン位置検出センサ６１ａ〜６１ｃとしてはＩＣタグレコーダ等が用いられる。
【００６１】
その他の構成は第１の実施の形態のトイレ機器と同様であり、同一符号は同一部分を示している。
【００６２】
［初期設定］
このように構成されたトイレ機器をトイレ室内に設置した後には、以下の初期設定を行う。
【００６３】
トイレ室内に人が居ないときには、リモコン３０は待機モードとなっている。この待機モードにあっては、スイッチ類３０ａ〜３０ｆ、３０ｓ、３２ａ〜３２ｄ、３４が操作不能であり、かつ発信素子３６及び位置情報信号発信手段３３が信号を発信不能な状態となっている。但し、この待機モードにおいて、光検知手段３７はＬＥＤ２１からの光を検知可能であり、また、太陽電池３０ｇによって発電された電力をリモコン内部のキャパシタ（図示略）に蓄電可能である。
【００６４】
人体が洋風便器１０に近づくと、便座ボックス１２の受光素子（人体検知センサ）６０が人体を検知し、ＬＥＤ２１が発光する。ここで、リモコン３０の蓋体３１を開けると、上記待機モードにおいて、さらに照射方向調節スイッチ３２ａ〜３２ｄ、３４が操作可能な状態となり、かつ位置情報信号発信手段３３が信号を発信可能な状態となる。ここで、リモコン３０の照射方向自動調節スイッチ３４を操作すると、リモコン３０の位置情報信号発信手段３３が位置信号を発信し、便座ボックス１２のリモコン位置検出センサ６１ａ〜６１ｃが受信して制御回路５４に入力される。制御回路５４は、これらセンサ６１ａ〜６１ｃの該位置信号の受信時間差に基づいてリモコン３０の設置位置を算出し、ＬＥＤ２１の照射方向調節手段２２を作動させ、ＬＥＤ２１がリモコン３０を照射するように照射方向を調節する。これにより、リモコン３０がＬＥＤ２１によって良好に照明される。このようにして、初期設定を終了する。
【００６５】
なお、トイレ使用時には、トイレ機器は上記第１の実施の形態と同様に作動する。
【００６６】
この実施の形態では、照射方向自動調節スイッチ３４を操作するだけでＬＥＤ２１の照射方向を調節することができ、初期設定が容易である。
【００６７】
但し、この照射方向自動調節スイッチ３４と照射方向調節スイッチ３２ａ〜３２ｄとを併用してもよい。例えば、この照射方向自動調節スイッチ３４を操作してＬＥＤ２１の照射方向を自動調節した後に、さらに照射方向調節スイッチ３２ａ〜３２ｄを操作して微調節するようにしてもよい。また、これら照射方向調節スイッチ３２ａ〜３２ｄは省略してもよい。
【００６８】
＜第３の実施の形態＞
第３の実施の形態は、初期設定をしなくても、ＬＥＤ２１の照射方向が自動調節されるようにしたものである。第７図は本実施の形態に係るトイレ機器のブロック図である。
【００６９】
第７図に示す通り、便座ボックス１２には、受光素子（人体検知センサ）６０が人体を検知したときに信号を発信する発信素子（人体検知信号送信手段）６２が設けられている。また、リモコン３０には、この発信素子６２からの信号を受信する受信素子（人体検知信号受信手段）３９が設けられている。その他の構成は第５，６図と同様であり、同一符号は同一部分を示している。
【００７０】
このトイレ機器にあっては、初期設定が省略される。トイレ機器使用時には、トイレ機器は次のように作動する。
【００７１】
受光素子（人体検知センサ）６０が人体を検知していない場合には、リモコン３０は待機モードになっている。この待機モードにあっては、スイッチ類３０ａ〜３０ｆ、３０ｓ、３２ａ〜３２ｅ、３４が操作不能であり、発信素子３６及び位置情報信号発信手段３３が信号を発信不能であり、さらに光検知手段３７がＬＥＤ２１からの光を検知不能な状態となっている。但し、この待機モードにおいて、受信素子３９が信号を受信可能であり、また、太陽電池３０ｇによって発電された電力をリモコン内部のキャパシタ（図示略）に蓄電可能である。これにより、リモコン３０の消費電力を抑えることが可能となる。
【００７２】
この待機モードにおいて使用者が洋風便器１０に近づくと、便座ボックス１２の受光素子（人体検知センサ）６０が人体を検知し、発信素子６２から信号を発信する。この信号をリモコン３０の受信素子３９が受信することにより、リモコン３０がリモコン操作可能モードとなる。このリモコン操作可能モードにあっては、待機モードにおいて、さらにスイッチ類３０ａ〜３０ｆ、３０ｓが操作可能となり、発信素子３６及び位置情報信号発信手段３３が信号を発信可能となり、さらに光検知手段３７がＬＥＤ２１からの光を検知可能となる。
【００７３】
このリモコン操作可能モードになると、リモコン３０の位置情報信号発信手段３３が位置信号を発信する。この位置信号を便座ボックス１２のリモコン位置検出センサ６１ａ〜６１ｃが受信して制御回路５４に入力される。制御回路５４は、これらセンサ６１ａ〜６１ｃの該位置信号の受信時間差に基づいてリモコン３０の設置位置を算出し、ＬＥＤ２１の照射方向調節手段２２を作動させてＬＥＤ２１がリモコン３０を照射するように調節すると共に、ＬＥＤ２１を点灯させる。
【００７４】
この状態において、リモコン３０の各スイッチ３０ａ〜３０ｆ、３０ｓを操作することによってトイレ機器の各機器が作動することは、第１の実施の形態と同様である。
【００７５】
この実施の形態では、初期設定を行うことなく、ＬＥＤ２１の照射方向を自動的に調節することができる。
【００７６】
＜第３の実施の形態の変形例＞
上記第３の実施の形態では、便座ボックス１２の発信素子６２から発信された人体検知信号をリモコン３０の受信素子３９が受信した時点（人体検知信号受信時）でリモコン操作可能モードとなるが、その変形例として、この人体検知信号受信時よりも後にリモコン操作可能モードとなるようにしてもよい。
【００７７】
この変形例にあっても、第７図において、受光素子（人体検知センサ）６０が人体を検知していない場合には、リモコン３０は上記第３の実施の形態と同様の待機モードになっている。
【００７８】
この待機モードにおいて使用者が洋風便器１０に近づくと、便座ボックス１２の受光素子（人体検知センサ）６０が人体を検知し、発信素子６２から信号を発信する。
【００７９】
この信号をリモコン３０の受信素子３９が受信することにより、リモコン３０が準待機モードとなる。この準待機モードにあっては、待機モードにおいて、さらに位置情報信号発信手段３３が信号を発信可能となり、また光検知手段３７がＬＥＤ２１からの光を検知可能となる。
【００８０】
この準待機モードになると、リモコン３０の位置情報信号発信手段３３が位置信号を発信し、この位置信号をリモコン位置検出センサ６１ａ〜６１ｃが受信して制御回路５４に入力される。制御回路５４は、これらセンサ６１ａ〜６１ｃの該位置信号の受信時間差に基づいてリモコン３０の設置位置を算出し、ＬＥＤ２１の照射方向調節手段２２を作動させてＬＥＤ２１がリモコン３０を照射するように調節すると共に、ＬＥＤ２１を点灯させる。このように、ＬＥＤ２１の照射方向が調節され、ＬＥＤ２１がリモコン３０を照射するようになると、リモコン３０の光検知センサ３７が所定強度以上の光を検知することになり、リモコン３０が上記第３の実施の形態と同様のリモコン操作可能モードとなる。
【００８１】
このリモコン操作可能モードにおいて、使用者がリモコン３０の各スイッチ３０ａ〜３０ｆ、３０ｓを操作することにより、トイレ機器の各機器が作動する。
【００８２】
この実施の形態では、初期設定を行うことなく、ＬＥＤ２１の照射方向が自動的に調節される。
【００８３】
＜その他の実施の形態＞
上記の実施の形態において、リモコン３０の各種スイッチは、接触式であってもよく、非接触式であってもよい。
【００８４】
第８図は接触式のリモコンの一例を示す模式的な断面図である。第８図のリモコン８０の外殻は、方形の薄箱形状の本体８１よりなっている。この本体８１の前面（第８図の上面）に、太陽電池３０ｇと、光検知手段３７と、樹脂シート８４ｂとが設けられている。また、この本体８１の内部には、太陽電池３０ｇが発電した電力を蓄電するためのキャパシタ８６と、基板８２とが設けられている。この基板８２上に、制御回路８３と、スイッチ素子８４ａと、このスイッチ素子８４ａがＯＮとされたときに操作信号を発信する発信素子３６とが設置されている。このスイッチ素子８４ａの先端（第８図の上端）は樹脂シート８４ｂの下面に接触している。これらスイッチ素子８４ａ及び樹脂シート８４ｂによってスイッチ８４が構成されている。制御回路８３は、太陽電池３０ｇ、光検知手段３７、キャパシタ８６、スイッチ素子８４ａ及び発信素子３６とコードによって接続されている。なお、第８図では説明をわかり易くするために、スイッチ８４を１個としているが、実際には複数個設けられている。
【００８５】
このように構成されたリモコン８０において、使用者が樹脂シート８４ｂを押圧すると、樹脂シート８４ｂの裏側のスイッチ素子８４ａがＯＮとなり、発信素子３６から便座ボックスに向けて操作信号が発信される。
【００８６】
第９図は非接触式のリモコンの一例を示す模式的なブロック図である。第９図のリモコン９０においても、周囲の明るさを検知するための光検知手段３７が設けられている。また、この光検知手段３７とは別に、リモコン９０に設けられた３個の操作スイッチ（図示略）の裏側にも、光センサ９１ａ〜９１ｃが設けられている。これら光検知手段３７と光センサ９１ａ〜９１ｃとが照度比較回路９２に接続されている。太陽電池３０ｇとコンデンサ電源回路９３とが接続されており、太陽電池３０ｇで発電した電力をコンデンサ電源回路９３で蓄電可能とされている。また、送信回路９４が設けられており、これら送信回路９４、照度比較回路９２及びコンデンサ電源回路９３が互いに接続されている。
【００８７】
このように構成されたリモコン９０において、トイレ室内に人体が居ない場合には、リモコン９０は待機モードになっている。この待機モードにおいては、光センサ９１ａ〜９１ｃが検知不能状態となっており、かつ送信回路９４が送信不能となっている。但し、光検知手段３７、照度比較回路９２、太陽電池３０ｇ及びコンデンサ電源回路９３は起動状態となっている。
【００８８】
この待機モードにおいてトイレ室内に使用者が入室すると、図示しない便座ボックスのＬＥＤからリモコン９０に向けて光が照射され、リモコン９０の光検知手段３７がこの光を検知し、リモコン９０がリモコン操作可能モードに切り換わる。このリモコン操作可能モードにおいては、上記待機モードにおいて、さらに光センサ９１ａ〜９１ｃが検知可能となり、かつ送信回路９４が送信可能となる。
【００８９】
このリモコン操作可能モードにおいて、使用者がスイッチに手を近づけない場合には、光センサ９１ａ〜９１ｃと光検知手段３７との照度差が所定値未満となるため、照度比較回路９２はスイッチ操作が無いものと判定する。
【００９０】
このリモコン操作可能モードにおいて、使用者がいずれかのスイッチ（例えば光センサ９１ａを設けたスイッチ）に指を近づけると、そのスイッチが指の影になる。これにより、そのスイッチの裏側の光センサ（光センサ９１ａ）の検知する照度が弱くなり、該光センサ（光センサ９１ａ）と光検知手段３７との間に所定値以上の照度差が生じる。これにより、照度比較回路９２が該スイッチ（光センサ９１ａを設けたスイッチ）の操作を検知し、通信送信回路９４が便座ボックスに向けて操作信号を発信する。これにより、該スイッチ（光センサ９１ａを設けたスイッチ）に対応する機器が作動又は停止する。
【００９１】
この非接触式のリモコン９０によると、スイッチに直接に触れることなく操作を行うことができるため清潔である。また、このリモコン９０によると、光センサ９１ａ〜９１ｃと光検知手段３７との照度差に基づいてスイッチ操作の有無を判定するため、トイレ室内の照度の強弱に影響されることなく、正確にスイッチ操作の有無を判定することができる。
【００９２】
上記実施の形態は本発明の一例であり、本発明は上記実施の形態に限定されるものではない。
【００９３】
例えば、上記実施の形態では、トイレ機器はリモコンを左側の壁面に設置する左専用のトイレ機器であり、光照射部２０及びセンサ配置部１２ａ〜１２ｃは便座ボックス１２の左側に設置されている。しかし、これら光照射部２０及びセンサ配置部１２ａ〜１２ｃを便座ボックス１２の右側に設置して右専用のトイレ機器としてもよく、左右両側に設置して左右兼用のトイレ機器としてもよい。
【００９４】
また、便座ボックス内にＬＥＤ及びミラーを設け、ＬＥＤからの光をミラーに反射させてからリモコンに照射するようにしてもよい。第１０図はこのような便座ボックス１２Ａを備えた洋風便器が設置されたトイレルーム内の斜視図であり、第１１図（ａ）は第１０図の便座ボックス１２Ａの水平断面図、第１１図（ｂ）は第１０図の便座ボックス１２Ａをその左右の側面と平行な平面で光照射部２０Ｂを通るように切断した縦断面図である。
【００９５】
第１０図の通り、洋風便器１０Ａの後部上面に便座ボックス１２Ａが設けられている。なお、符号１４Ａは便座であり、符号１６Ａは便蓋である。トイレルームの左側の壁面にはリモコン３０Ａが設けられている。便座ボックス１２Ａの上面の右側にはセンサ配置部１２ｄが設けられており、便座ボックス１２Ａの前面の左右には光照射部２０Ａ，２０Ｂが設けられている。この便座ボックス１２Ａ内の中央、右側（第１１図（ａ）の左側）及び右側には、それぞれミラー（反射板）２１ａ〜２１ｃが設けられている。これらミラー２１ａ〜２１ｃは、第３図の照射位置調節手段２２や手などにより、水平方向（第１１図（ａ）の矢印方向）及び上下方向（第１１図（ｂ）の矢印方向）に回動可能とされている。中央のミラー２１ａと対向する位置に、ＬＥＤ２１が設置されている。
【００９６】
このように構成されたトイレ機器において、リモコン３０Ａは左側の壁面に設置されているため、ミラー２１ａは第１１図（ａ）の実線のように指向し、ＬＥＤ２１からの光は、このミラー２１ａ及びミラー２１ｃによって反射され、さらに光照射部２０Ｂを透過してリモコン３０Ａを照射する。また、仮にリモコン３０Ａが右側の壁面に設置されている場合には、ミラー２１ａは第１１図（ａ）の点線のように指向し、ＬＥＤ２１からの光は、このミラー２１ａ及びミラー２１ｂによって反射され、さらに光照射部２０Ａを透過してリモコン３０Ａを照射する。なお、ミラー２１ｃ及びミラー２１ｂの角度は、リモコン３０Ａの壁面への設置位置に応じて、上記の実施の形態と同様にして調節される。このようにミラー２１ａ〜２１ｃを用いる場合、左右兼用のトイレ機器にあってもＬＥＤ２１が１個で足りるためコスト低減が図られる。
【００９７】
上記実施の形態では、照射方向調節スイッチ３２ａ〜３２ｄ及び照射方向自動調節スイッチ３４をリモコン３０に設けたが、それに代えて又はそれと共に、便座ボックス１２に設けてもよい。
【００９８】
太陽電池３０ｇに代えて乾電池を用いてもよい。ＬＥＤ２１は、便座ボックス１２内の配管４０を流れる水によって水冷されるようにしてもよい。
【００９９】
第３図において、ＬＥＤ２１から出射する光の方向とリモコン３０の前面の垂線とのなす角度は、リモコン３０のトイレ室前方側（第３図の下側）ほど大きくなり、その結果リモコン３０のトイレ室前方側（第３図の下側）ほど暗くなる。このため、ＬＥＤ２１から出射する光の強度を、トイレ室前方側（第３図の下側）ほど大きくするようにしてもよい。これにより、リモコン３０の前面の全体を良好に照明することができる。
【０１００】
第３図において、便座ボックス１２の受光素子（人体検知センサ）６０が人体を検知すると、所定時間（例えば１〜３秒）だけＬＥＤ２１が洋風便器１０の前方の床面を照明し、その後に初期設定によって調節された照射方向（すなわちリモコン３０を照射する方向）を向くように、照射方向調節手段２２を制御してもよい。この場合、使用者が足元を確認しながら安全に洋風便器１０まで移動することができる。このＬＥＤ２１が前方の床面を照明する時間は上記の場合に限定されるものではない。例えば、便蓋開放検知センサを設置しておき、受光素子（人体検知センサ）６０が人体を検知してから該便蓋開放検知センサが開放を検知するまでの間としてもよい。
【０１０１】
トイレ機器本体は、既設の便座に取り付けるシートタイプのトイレ機器本体であってもよい。
【符号の説明】
【０１０２】
１０  洋風便器
１２  便座ボックス
３０  リモコン
３２ａ〜３２ｄ  照射方向調節スイッチ
３０ｇ  太陽電池
３３  位置情報信号発信手段
３４  照射方向自動調節スイッチ
３６  発信素子
３７  光検知手段
３９  受信素子
５４  制御回路
６０  受光素子
６１ａ〜６１ｃ  
６２  発信素子
９０  リモコン
９１ａ、９１ｂ、９１ｃ  光センサ
９２  照度比較回路
【図１】
2011153463.tif 000003
【図２】
2011153463.tif 000004
【図３】
2011153463.tif 000005
【図４】
2011153463.tif 000006
【図５】
2011153463.tif 000007
【図６】
2011153463.tif 000008
【図７】
2011153463.tif 000009
【図８】
2011153463.tif 000010
【図９】
2011153463.tif 000011
【図１０】
2011153463.tif 000012
【図１１】
2011153463.tif 000013